(57)【要約】【課題】本体を覆うカバーが取り付けられる構造の天井直付型照明器具においても、その固有情報を表示できるようにする。【解決手段】天井に取り付けられランプを支持する本体と、この本体に取り付けられてこの本体全体を覆う透光性のカバーとを備えた天井直付型照明器具において、この照明器具の固有情報を表示する表示部を、前記カバーの端部に設けたので、本体の固有情報を確認する必要が生じたときには、このカバーの表示部により外観からその照明器具の固有情報を判別でき、カバーを本体から外して本体を確認したりする必要はなく、照明器具に関する固有情報の確認を容易にすることができる。【選択図】      図１
2009043501.tif 000002
【特許請求の範囲】
【請求項１】
天井に取り付けられランプを支持する本体と、この本体に取り付けられてこの本体全体を覆う透光性のカバーとを備えた天井直付型照明器具において、
この照明器具の固有情報を表示する表示部を、前記カバーの端部に設けたことを特徴とする天井直付型照明器具。
【請求項２】
前記固有情報とは、製造メーカ名、製品名、製品の型式、製造ロット、製造番号、製造時期のうち少なくとも1つ以上の情報である
ことを特徴とする請求項１に記載の天井直付型照明器具。
【請求項３】
前記表示部は、透光性のラベル、銘板、固有情報に関連付けられた色彩表示のラベルのうち何れかである
ことを特徴とする請求項１又は２に記載の天井直付型照明器具。
【請求項４】
前記ラベル又は銘板には、前記固有情報のうち少なくとも1つ以上についてユーザに記入される記入スペースが形成されている
ことを特徴とする請求項３に記載の天井直付型照明器具。
【請求項５】
前記表示部は、刻印やシボ加工により前記カバーに刻まれている
ことを特徴とする請求項１又は２に記載の天井直付型照明器具。
【請求項６】
前記表示部は、その固有情報の内容を示す記号や、略記号や、マークや、略表示のうち少なくとも一つ以上である
ことを特徴とする請求項１、２、３、５の何れかに記載の天井直付型照明器具。
【請求項７】
前記表示部は、その固有情報の内容を示す一次元又は二次コードである
ことを特徴とする請求項１乃至３の何れかに記載の天井直付型照明器具。
【請求項８】
前記本体にも固有情報を表示する識別表示が設けられており、カバーに設けられる前記表示部の表示内容は、前記識別表示の表示内容と同じ表記、或いは、相関関係のある表記であることを特徴とする請求項１、２、３、５、６の何れかに記載の天井直付型照明器具。
【請求項９】
前記カバーは前記本体と同一型式のものに取り付け可能であり、前記本体と異なる型式のものの一部にも取り付け可能な汎用カバーである
ことを特徴とする請求項１乃至４の何れかに記載の天井直付型照明器具。
【請求項１０】
前記カバーは前記本体と同一型式のものに取り付け可能であり、前記本体と異なる型式のものには取り付け不可能である専用カバーである
ことを特徴とする請求項５又は７に記載の天井直付型照明器具。
【請求項１１】
天井に取り付けられランプを支持する本体と、この本体に取り付けられてこの本体全体を覆う透光性のカバーとを備えた天井直付型照明器具の表示方法において、
前記カバーの端部に設けた表示部で、この照明器具の固有情報を表示する
ことを特徴とする天井直付型照明器具の表示方法。
【請求項１２】
前記カバーを、前記本体と同一型式の本体に取り付け可能であり、かつ、前記本体と異なる型式の少なくとも一部の型式の本体にも取り付け可能な汎用カバーとし、
前記表示部を、ラベル又は銘板とすると共に、このラベル又は銘板に、前記固有情報のうち少なくとも1つ以上をユーザに記入される記入スペースを形成し、
このユーザに記入されたラベル又は銘板が前記カバーの端部にユーザにより貼付されて前記固有情報を表示する
ことを特徴する請求項１１に記載の天井直付型照明器具の表示方法。
【請求項１３】
前記カバーを、前記本体と同一型式のものに取り付け可能であり、更に前記本体と異なる型式のものには取り付け不可能な専用カバーとし、
前記表示部を、刻印やシボ加工により前記カバーに刻んで一体形成したものか、又は、固有情報の内容を示す一次元或いは二次コードが表記されて貼付されるラベルとした
ことを特徴する請求項１１に記載の天井直付型照明器具の表示方法。
【発明の詳細な説明】
【技術分野】
【０００１】
この発明は、器具本体を天井に直付けしている天井直付型照明器具及びこの照明器具の表示方法に関する。
【背景技術】
【０００２】
照明装置カバーに、内部の様子を表示する表示装置を備えたものは、例えば、特開２０００−２８６０７７号公報に記載されたものがある（特許文献１参照）。
【０００３】
この公報に記載されたものは、蛍光ランプの照度をカバーに配置されたＬＥＤで表示する表示装置である。この表示装置は、トンネル内の照明や、講演や街路灯等に使用されるため、蛍光ランプが切れた時点での速やかな交換作業が行いにくく、この蛍光ランプが切れる前の交換時期を発光部の照度で判断するために、この発光部の照度を、カバーに配置されたＬＥＤで表示するものであった。
【０００４】
また、天井直付型照明器具等に取り付けられて利用される透光性のカバーは、特開２００４−１３４３４３号公報に記載されている（特許文献２参照）。この公報に記載の透光性のカバーには、そのカバーの材料を刻印で表示する材料表示部が形成されている。
【０００５】
更に、商品の内容を示すラベルに関する技術が、特開２００３−０５４０７２号公報に記載されている（特許文献３参照）。この公報に記載されているラベルは、商品の製造日時や価格等を表示することもできるものである。
【０００６】
【特許文献１】特開２０００−２８６０７７号公報
【特許文献２】特開２００４−１３４３４３号公報
【特許文献３】特開２００３−０５４０７２号公報
【発明の開示】
【発明が解決しようとする課題】
【０００７】
現在、家電製品や工業製品では個体識別表示が付されており、家電製品のうち、テレビやパソコン等では、その本体の背面に表示がなされており、また、携帯電話等では、電池ボックス内にその表示がなされている。家庭用の照明器具でも、卓上用スタンドのように、本体全部をカバーで覆うような構造でないものは、その本体に表示部を配置していれば、その表示を確認できる。しかし、照明器具の本体を天井に直付けし、更にこの本体を乳白色や透光性のあるカバーで覆うタイプの照明器具においては、本体に配置されている表示部を容易には確認することができない。
【０００８】
近年、製品の販売後に不具合が発見された場合、安全性の観点から製品を回収する必要が生じる場合がある。回収する場合において、不要な回収費用を発生させないために、本当に回収が必要な製品だけを絞り込む必要が生ずる。この絞り込み作業には、製品の型式は勿論であるが、製造ロットまで絞り込み、このロットまで絞り込む場合もある。この場合、ユーザにそのロットで生産された製品か否かを確認してもらう必要がある。
【０００９】
しかし、上記で説明したように、テレビやパソコンのように簡単に型式や製造ロットまでも確認できず、確認する場合は、ユーザ自身がカバーを外して確認しなければならなかった。製品確認手間がかかるとユーザが製品確認を行わないことが考えられ、リコール作業が進まないという事態となる。
【００１０】
天井に直付けする照明器具においては、その本体をカバーで覆うものが多く、また、カバーのデザインが類似しているため、型式等の固有の製品情報を確認することが容易にはできない場合が多い。
【００１１】
照明器具は、長時間及び長期間にわたって使用される製品であるため、家電製品の中でも、いつ頃購入した製品なのか、型式が何かを忘れがちであり、製造メーカのリコールの告知があった場合でも、ユーザが確認し辛いという、照明器具特有な事情がある。
【００１２】
また、情報家電のように小電力で動作するものではなく、大電力で使用されるものであるため、リコールの告知があった場合には、速やかに対象製品か否かを確認した方がよいという照明器具特有な事情もある。
【００１３】
このため、照明器具を含む家電製品では、販売直後ではなく、数年経過した後、製品の不具合が見つかったり、耐久性に問題が見つかったりして、製品を回収や修理をしなければならない状況が発生することも少なくない。
【００１４】
特許文献１に記載のものでは、そのＬＥＤが照明の照度を表示するものであって、製品の固有情報を表示するものではない。このため、製品回収の対象のものか否かを判定できず、固有情報の表示の確認のため、カバーを取り外してその内部に固有情報がないか確認する必要が生ずる。特に、天井に直付けする照明器具であって、乳白色や透光性のカバーで器具全体を覆っている照明器具においては、そのカバーが高い位置にあるため、確認作業は容易ではない。
【００１５】
また、特許文献２に記載のものでは、材料表示がカバーになされているが、この表示は金型での製造を容易にする目的の技術である。このため、照明器具の使用時に照明器具の固有情報をユーザに確認できるようにしたものでなく、その表示は、カバーを取り外した際にのみ確認できる位置、すなわち使用時には外観から確認し辛い位置に設定されていた。このように特許文献２に記載のものには、照明器具本体の固有情報を表示する技術的思想は全くなく、外観から照明器具の固有情報を表示するという発明をなすことはできない。
【００１６】
また、特許文献３に記載の問においては、製造日時や商品価格に関する情報を、バーコード読取りヘッドで読取り可能であるが、製造者や製造ロット等の情報が読み取れるものではなく、リコール等が生じた際に必要な固有情報が得られるものではない。
【００１７】
この発明は、上記課題を解決するものであって、本体を覆うカバーが取り付けられる構造のものであってもその固有情報を表示できる天井直付型照明器具及びこの照明器具の表示方法を提供するものである。
【課題を解決するための手段】
【００１８】
本発明は上記課題を解決するためのものであって、本発明の天井直付型照明器具は、
天井に取り付けられランプを支持する本体と、この本体に取り付けられてこの本体全体を覆う透光性のカバーとを備えた天井直付型照明器具において、
この照明器具の固有情報を表示する表示部を、前記カバーの端部に設けたものである。
【００１９】
また、本発明の天井直付型照明器具の表示方法は、
天井に取り付けられランプを支持する本体と、この本体に取り付けられてこの本体全体を覆う透光性のカバーとを備えた天井直付型照明器具の表示方法において、
前記カバーの端部に設けた表示部で、この照明器具の固有情報を表示するようにしたものである。
【発明の効果】
【００２０】
このように構成された本発明によれば、次に記載するような効果を奏する。
【００２１】
この発明による天井直付型照明器具や天井直付型照明器具の表示方法によれば、本体の固有情報を確認する必要が生じたときには、このカバーの端部の表示部により照明器具に関する固有情報を外観から判別でき、カバーを本体から外して本体を確認したりする必要はなく、照明器具に関する固有情報の確認を容易にすることができる。
【発明を実施するための最良の形態】
【００２２】
本発明の第１実施形態について図1に基づき説明する。
【００２３】
図1は、第１実施形態を示す説明図であり、この図１に示す１０１は天井直付型照明器具である。
【００２４】
また、１０２は本体で、ランプ１０３を支持するものである。１０４はグローブとも呼ばれることもあるカバーで、本体１０２全体を覆う透光性のものである。１０５は表示部で、前記カバーの端部に設けられている。この表示部１０５は、例えば、貼付されたラベルである。
【００２５】
そして、この表示部１０５の表示内容は、固有情報のうち、照明器具の製品名、製品の型式、製造ロットを表示している。尚、この天井直付照明器具１０１は外観に特徴があってその製造メーカ名を容易に判別できるものである。
【００２６】
このように構成された天井直付型照明器具では、何らかの理由でその照明器具の製造メーカ名、製品名、型式、製造ロットを確認しなければならないこともある。この何らかの理由とは、例えば、照明器具の故障のため修理依頼するため、カバーを交換するため、リコール対象か否かを確認するため、等が考えられる。
【００２７】
本体１０２が天井に直付けされており、この本体１０２の全体を覆う透光性のカバー１０４を取り付けた場合、本体に製造メーカ名、製品名、型式、製造ロットが表示されていても、全く見えない、或いは非常に見え難いものである。
【００２８】
しかし、表示部１０５に、固有情報である製品名、型式、製造ロットが表示されているので、この表示により、その固有情報を、外観から速やかに確認することができる。このため、カバー１０４を本体１０２から外して本体１０２を確認したりする必要はなく、天井直付型照明器具１０１に関する固有情報の確認を容易にすることができる。
【００２９】
この第1実施形態では、表示部１０５で表示する固有情報の表示を、製品名、型式、製造ロットとしたが、製造メーカ名、製造番号、製造時期を表示してもよい。
【００３０】
次に、第２実施形態について説明する。
【００３１】
図２は本発明の第２実施形態の天井直付型照明器具の説明図である。
【００３２】
図２に示す２０１は天井直付型照明器具で、室の天井２０２に取り付けられているものである。２０３は引っ掛けクローゼット、２０４は照明器具の本体、２０５は天井取付装置で、前記引っ掛けクローゼット２０３に取り付けられることにより、前記本体２０４を天井２０２に取り付けるものである。
【００３３】
２０６は点灯装置、２０７は電源ケーブル、２０８はランプソケットである。２０９はランプで、例えば蛍光灯を使用している。２１０は反射板で、本体２０４に取り付けられている。２１１は識別表示で、その本体２０４の端部にラベルを貼付することで表示しており、その表示内容は、固有情報である製造メーカ名、製品名、型式、製造ロット、製造番号、製造時期である。２１２はカバーで、透光性のカバーである。また、このカバー２１２は、器具本体の全体を覆うものである。このため、このカバー２１２が取り付けられている状態では、前記識別表示２１１を確認できない、或いは、極めて確認し辛いものである。
【００３４】
２１３は表示部で、この表示部は後述する表示ラベルである。この表示部２１３の表示内容は、前記識別表示２１１と同じであるか、或いは、相関関係のある表記である。しかし、この表示部２１３では、製造メーカ名の表記は省略している。これは、第1実施形態の説明と同じ理由である。
【００３５】
図３は表示ラベルの説明図で、表示部２１３の具体例である表示ラベル３０１を示している。この表示ラベル３０１は、透明又は半透明、或いは乳白色等が考えられるが、そのカバー２１２に近いものを利用し、その美観を損ねないようにしている。また、このカバー２１２には、文字が黒か青等で表示されていて、後述の固有情報を判別し易いようになっている。この表示ラベル３０１の場合、固有情報として製品名、型式、製造ロット、製造番号が表示されているが、この製造ロットの記載に製造時期を含ませる内容としたり、或いは、製造ロットだけでその製造時期が判別できるよう製造時期と関連付けたりすることにより、製造ロットだけで製造時期が判り、製造時期の表記を省いている。また、製品を特定するために、表示ラベル３０１の表示で充分である場合も、製造時期を省くことができる。
【００３６】
このように構成された天井直付型照明器具では、その照明器具の製品名や型式、更に製造ロット、製造番号、製造時期も確認しなければならないこともある。
【００３７】
この場合、表示部２１３により、その外観から、固有情報である製品名、型式、製造ロット、製造番号を速やかに確認することができる。このため、カバー２１２を本体２０４から外して本体２０４を確認したりする必要はなく、天井直付型照明器具２０１に関する固有情報の確認を容易にすることができる。
【００３８】
図４は第３実施形態における表示ラベルの説明図であり、第２実施形態の表示ラベル３０１の異なる実施形態を示している。この図４に示す４０１は表示ラベルで、製造メーカ名、製品名、製造ロットを表示している。
【００３９】
この表示ラベル４０１では、その製品名や製造ロット或いは外観に特徴があって型式を表示する必要がない場合であるため、型式の表示を省いている。
【００４０】
また、このような表示ラベル４０１では、表示ラベル３０１より表示内容が少なく、表示ラベル４０１を小さくできるため、カバー２１２に貼付されても、その美観を損ねにくいものである。
【００４１】
図５は第４実施形態における表示ラベルの説明図であり、第２及び第３実施形態の表示ラベル３０１、４０１とは異なる実施形態を示している。この図５に示す５０１は表示ラベルで、製造メーカ名「Ｎ」と、製品名「ＡＡＡＡ」と、製造ロット「０７Ａ」を表示している。この表示ラベル５０１の表示内容は基本的には表示ラベル４０１と同じである。
【００４２】
このように小さな表示ラベル５０１の場合、天井直付型照明器具２０１のカバー２１２の端部に貼付された場合も、図４に示す表示ラベル４０１よりも、更に小さくて目立ちにくいため、その美観を損なう恐れを抑えることができる。
【００４３】
図６は第５実施形態における表示ラベルの説明図であり、第２〜第４実施形態の表示ラベル３０１、４０１、５０１とは異なる実施形態を示している。この図６に示す６０１は表示ラベルで、製造ロットを表示している。この場合、照明器具の外観上から、製造メーカや型式等が容易に判別できるものに貼付されるのが望ましい。或いは、その製造ロットが型式や製造時期の内容と関連づけたり、関連づけられた表記にしており、製造ロットのみでその型式が判別できるため、型式等を省略した表示ラベル６０１になっている。
【００４４】
図７は第６実施形態における表示ラベルの説明図であり、第２〜第５実施形態の表示ラベル３０１、４０１、５０１、６０１とは異なる実施形態を示している。この図７に示す７０１は表示ラベルで、製造メーカ名を表示している。また、この表示ラベル７０１は、その色が水色であり、この水色に製造時期、例えば、製造年を関連づけている。このため、このラベルの色と製造年との関連が判っているため、ラベルの色を見るだけで製造時期を判別することができる。
【００４５】
即ち、この表示ラベル７０１は固有情報（製造時期）に関連付けられた色彩表示（水色）がなされたラベルである。
【００４６】
このような表示ラベル７０１を使用すると、色彩表示が固有情報と関連づけられているため、文字や記号での表示量を減らすことができ、その表示ラベルを小型化し、美観を損ねにくくすることができる。
【００４７】
また、このような表示ラベル７０１を使用する場合、製造時期で特定の天井直付型照明器具と判別できるような場合に、特に有効な表示ラベルである。
【００４８】
図８は第７実施形態における表示ラベルの説明図であり、第２〜第６実施形態の表示ラベル３０１、４０１、５０１、６０１、７０１とは異なる実施形態を示している。この図に示す８０１は表示ラベルで、製品名を表示している。この表示ラベル８０１も図７に示す表示ラベル７０１と同様に、水色のラベルで、この水色に製造時期、例えば、製造年を対応させている。そして、「ＡＡＡＡ」は製品名を示している。
【００４９】
この表示ラベル８０１の場合、製品名と製造年とで、その製品の型式を絞り込めるものである。
【００５０】
このような表示ラベル８０１を使用する場合、ラベルの色と表示されている固有情報との組み合わせで、その天井直付型照明器具を特定できる。
【００５１】
図９は第８実施形態の表示ラベルの説明図であり、第２〜第７実施形態の表示ラベル３０１、４０１、５０１、６０１、７０１、８０１とは異なる実施形態を示している。この図９に示す９０１は表示ラベルで、型式と製造ロットとを示す部分は、空欄になっている。つまり、この表示ラベル９０１には記入スペースが形成されている。
【００５２】
この表示ラベル９０１は、例えば、サービスパーツとして購入した汎用性の照明器具用カバーに添付されているものであり、この空欄に、照明器具の本体に記載されている型式と製造ロットとを、ユーザ自ら油性ペンで転記する必要がある。そして、記入済みの表示ラベル９０１を、ユーザがカバーの端部に貼り付けることにより、表示ラベル９０１のカバーへの取付けは終了する。
【００５３】
このように、複数の型式の天井直付型照明器具に取り付けられるカバー、つまり汎用カバーをサービスパーツとして販売している場合、どの型式の照明器具本体に取り付けられるか判らないため、表示ラベル３０１、４０１、５０１、６０１、７０１、８０１のように印刷できない。しかし、ユーザにわずかな手間をお願いすることにより、照明器具本体の固有情報確認を外観から容易にすることができる表示ラベル９０１をカバーに貼付することができる。
【００５４】
図１０は第９実施形態における表示ラベルの説明図であり、第２〜第８実施形態の表示ラベル３０１、４０１、５０１、６０１、７０１、８０１、９０１とは異なる実施形態を示している。この図１０に示す１００１は表示ラベルで、固有情報の内容である製造メーカ名、製品名、製品の型式、製造ロット、製造番号、製造時期を読み出すことのできるバーコードが印刷されている。
【００５５】
そして、このバーコードは、バーコードリーダでその内容を読み出せるものである。このため、固有情報の内容を読み出す場合には、バーコードリーダでこのバーコードを読み込む。すると、バーコードリーダの表示部に、固有情報（製造メーカ名、製品名、製品の型式、製造ロット、製造番号、製造時期）が表示され、この内容を確認することができる。
【００５６】
図１１は第９実施形態の表示ラベルの使用状態を示す説明図である。この図１１において、１１０１は天井直付型照明器具、１１０２はこの照明器具の透光性のカバーである。
【００５７】
このカバー１１０２の端部には、前述のバーコードの印刷された表示ラベル１００１が貼付されている。１１０３は携帯電話で、バーコードを読み取るためのカメラ付きのものであり、また、このカメラで読取ったバーコードを識別できる専用のアプリケーションソフトが搭載されている。１１０４は携帯電話１１０３の表示部である。
【００５８】
このような携帯電話１１０３で、表示ラベル１００１のバーコードを読み取ると、表示部に、製造メーカ名、製品名、型式、製造ロット、製造番号、製造時期が表示される。
【００５９】
このように、携帯電話等の端末で読取り可能な表示ラベル１００１を使用した場合は、比較的情報量の多い内容を、その端末の表示部に表示可能であるため、略記号やマーク等に比べて、確認しやすいものである。
【００６０】
この第９実施形態では、携帯電話１１０３にバーコードリーダの機能を搭載した例で説明したが、ＰＨＳ（Personal Handy-phone System）や、ＰＤＡ（Personal Digital Assistants、個人用携帯情報端末）や、携帯式のゲーム機に、このバーコードリーダの機能を搭載しても構わない。もちろん、専用のバーコードリーダを利用しても構わない。
【００６１】
また、この第９実施形態では、バーコード、つまり一次元のコードで表示した例で説明したが、二次元のコードで表示しても構わない。
【００６２】
また、この表示ラベル１００１は、特定の型式の器具本体にのみ取り付け可能な専用カバーに貼付されるものである。専用カバーでないと、そのバーコードから読み取られる固有情報と本体との固有情報とが一致しない恐れがあるからである。
【００６３】
尚、これらの第1〜第９実施形態では、表示部を表示ラベルとした例で説明したが、このラベルの代わりに美麗な銘板を使用しても構わない。
【００６４】
図１２は第１０実施形態における表示部を示す説明図である。この図１２に示す１２０１は天井直付型照明器具の本体に取り付けられるカバー、１２０２はこのカバーの端部、１２０３は表示部で、シボ加工又は刻印により直接カバー１２０１の端部１２０２に形成されている。
【００６５】
表示部１２０３のシボ加工は、図１２に示すように、製造ロットを示す「０７Ａ」が形成されている。
【００６６】
また、前記カバーは、特定の型式の照明器具の本体にだけ取り付けられる専用カバーである。このため、特定の型式以外に取り付けられない。これにより、特定の型式以外に取り付けられて表示部の表示内容と、照明器具の本体の内容とが不一致になるような不具合を防止している。
【００６７】
このような表示部１２０３が形成されたカバー１２０１を使用すると、カバー１２０１を取り外さなくても、カバー１２０１の表示部１２０３でその固有情報を確認することができ、その固有情報の確認が容易である。
【００６８】
また、永年使用しても、表示部１２０３に何かをぶつけて損傷するようなことがなければ表示部１２０３により永年に亘って固有情報の確認が可能であり、剥がれてなくなる恐れのある表示ラベルよりも、固有情報の確認を永年確実にすることができると考えられる。
【００６９】
また、第３〜第１０の実施形態の表示部も、第２実施形態のものと同様に、本体の識別表示２１１の表示内容と同じ表記、或いは、相関関係のある表記である。
【００７０】
尚、これらの第1〜第１０実施形態では、表示部の表記として、文字やコードの例で説明したが、これら文字やコードだけでなく、その個体識別の内容を示す記号や、略記号や、マークや、略表示等で表示しても構わない。
【図面の簡単な説明】
【００７１】
【図１】本発明の第１実施形態を示す天井直付型照明器具の説明図である。
【図２】本発明の第２実施形態を示す天井直付型照明器具の説明図である。
【図３】同第２実施形態の天井直付型照明器具の表示ラベルを示す説明図である。
【図４】本発明の第３実施形態の表示ラベルを示す説明図である。
【図５】本発明の第４実施形態の表示ラベルを示す説明図である。
【図６】本発明の第５実施形態の表示ラベルを示す説明図である。
【図７】本発明の第６実施形態の表示ラベルを示す説明図である。
【図８】本発明の第７実施形態の表示ラベルを示す説明である。
【図９】本発明の第８実施形態の表示ラベルを示す説明である。
【図１０】本発明の第９実施形態の表示ラベルを示す説明である。
【図１１】同第９実施形態の表示ラベルの使用状態を示す説明図である。
【図１２】本発明の第１０実施形態の表示部を示す説明図である。
【符号の説明】
【００７２】
１０１    天井直付型照明器具
１０２    本体
１０３    ランプ
１０４    カバー
１０５    表示部
２０１    天井直付型照明器具
２０２    天井
２０３    引っ掛けクローゼット
２０４    器具本体
２０５    天井取付装置
２０６    点灯装置
２０７    電源ケーブル
２０８    ランプソケット
２０９    ランプ
２１０    反射板
２１１    識別表示
２１２    カバー
２０７    点灯装置
２１３    表示部
３０１    表示ラベル
４０１    表示ラベル
５０１    表示ラベル
６０１    表示ラベル
７０１    表示ラベル
８０１    表示ラベル
９０１    表示ラベル
１００１    表示ラベル
１１０１    天井直付型照明器具
１１０２    カバー
１１０３    携帯電話
１１０４    表示部
１２０１    カバー
１２０２    端部
１２０３    表示部
【図１】
2009043501.tif 000003
【図２】
2009043501.tif 000004
【図３】
2009043501.tif 000005
【図４】
2009043501.tif 000006
【図５】
2009043501.tif 000007
【図６】
2009043501.tif 000008
【図７】
2009043501.tif 000009
【図８】
2009043501.tif 000010
【図９】
2009043501.tif 000011
【図１０】
2009043501.tif 000012
【図１１】
2009043501.tif 000013
【図１２】
2009043501.tif 000014